(57)【要約】【課題】給水部は寸法ばらつきや温度変化があっても水漏れが生じない洗濯機を提供する。【解決手段】給水部２０は、上部筐体３の一部である第１の仕切り壁底部１６から下方の貯水部底部１２に向けて略半円筒形状の第１の仕切り壁１５を立設して形成し、第１の仕切り壁１５の半円部である第１の仕切り壁１５ａの凹部側を第２の水管開口部および第１の水管開口部からの流水方向に対向させるとともに、第１の仕切り壁底部１６に、下方に向けて傾斜した面を含む付勢手段２１を形成した構成としたことにより、流水方向Ｄへの流速は減速し、貯水部周囲壁１３ａ近傍の水面を上昇させにくくできるので、部品寸法のばらつきや、温度変化による寸法変化が生じても、水漏れを防止することができ、また、第１の仕切り壁１５内上部での水圧が上がらず、第２の仕切り壁１７と第１の仕切り壁１５ｂとの間から外側に水が流下しても、貯水部周囲壁１３ｃから溢れることはない。【選択図】図１
2019092613.tif 000002
【特許請求の範囲】
【請求項１】
洗濯物を収容する洗濯槽と、
前記洗濯槽に注水する給水部とを備え、
前記給水部は、給水弁と、前記給水弁からの水を受ける貯水部と、前記貯水部の水を前記洗濯槽に供給する注水口と、前記貯水部の底面に向けて前記貯水部の底面との間に水の流れを許容する流路を有して形成され、前記給水弁からの流水方向に対向して形成される仕切り壁とを備えることを特徴とする洗濯機。
【請求項２】
前記給水部は、前記給水弁に連結される水管部と、前記水管部と前記貯水部とを連結する水管開口部とを備え、
前記仕切り壁の下辺は、前記水管開口部より下方向に配置したことを特徴とする請求項１に記載の洗濯機。
【請求項３】
前記注水口の一部は、前記仕切り壁と前記水管開口部との間に配置したことを特徴とする請求項２に記載の洗濯機。
【請求項４】
前記仕切り壁は、天面を有する筒状の壁構造に形成したことを特徴とする請求項１から３のいずれか一項に記載の洗濯機。
【発明の詳細な説明】
【技術分野】
【０００１】
本発明は、洗い、すすぎ、脱水行程を行なう洗濯機に関するものである。
【背景技術】
【０００２】
従来、この種の洗濯機は、洗濯機本体内部に洗濯と脱水を行う洗濯槽を有し、洗濯槽に衣類を出し入れする衣類投入口を有し、衣類投入口を開閉自在に覆う蓋体を有している。洗濯機本体上部後方には、水道から洗濯槽に水を給水する注水部を配置する構成が提案されている（例えば、特許文献１参照）。
【０００３】
図１１は、一般的なトップロード洗濯機で蓋体を開いたときの外観斜視図を示す。図１２は、一般的なトップロード洗濯機の給水部の要部断面図を示す。
【０００４】
以下、従来の構成について、図１１及び図１２に基づいて説明する。
【０００５】
洗濯機本体１０２の上部には、洗濯物を収容する洗濯槽１０１が回転自在に支持されている。洗濯機本体１０２の上部には、洗濯機本体１０２の上部を覆う上部筐体１０３が装着されている。上部筐体１０３の略中央部には、衣類投入口１０４が上部筐体１０３に一体に成形され、衣類投入口１０４は、洗濯槽１０１の上方に向けて下方向に伸延して構成している。上部筐体１０３には、衣類投入口１０４の上方全体を覆う蓋体１０５を開閉自在に装着している。
【０００６】
上部筐体１０３の後方には、給水部１２０が配設され、給水部１２０には、冷水を供給する冷水給水弁１０６と、温水を供給する温水給水弁１０７とが設けられている。冷水給水弁１０６には、第２の水管部１０９が接続され、温水給水弁１０７には、第１の水管部１０８が接続されている。
【０００７】
洗い時、あるいは、すすぎ時には、冷水給水弁１０６、あるいは、温水給水弁１０７から水、あるいは、温水が供給され、供給された水は、接続口１２１から上部のフィルター部１２２を経由して、第２の水管部１０９へ流れる。第２の水管部１０９へ流れた水は、衣類投入口１０４側に開口する水管開口部１１２から注水部１１１と注水カバー１１３との間の空間に向けて吐出される。
【０００８】
注水部１１１の上面部及び側面部は、衣類投入口１０４側に伸延して、衣類投入口１０４裏面側に当接している。また、注水カバー１１３の一部は注水部１１１側に伸延している。そして、注水部１１１と注水カバーとの間には、上部に隙間ａ、下部に隙間ｂを設けている。
【０００９】
注水部１１１と注水カバー１１３との間の空間に吐出された水は、下方の隙間ｂより洗濯槽１０１に給水される。
【００１０】
衣類投入口１０４裏面側と注水部１１１とは、当接しているので、上方の隙間ａから溢れた水は、さらに上には漏れないので、注水部１１１と注水カバーとの間の空間の外に配置した図示しない内部の電気部品の電極などを濡らして、機器が不安全になることを防止している。
【先行技術文献】
【特許文献】
【００１１】
【特許文献１】特開２０１４−２３３３６４号公報
【発明の概要】
【発明が解決しようとする課題】
【００１２】
しかしながら、前記従来の構成では、洗濯時間短縮のために、給水する水の流量Ｑを大きくすると、流量Ｑを水管開口部１１２の開口面積Ｓで除して得られる流速ｖが大きくなる。流速ｖが大きくなると、注水カバー１１３表面を水が上昇しやすくなる。
【００１３】
水が上昇する最大高さｈは、速度ｖを２乗したものを、重力加速度ｇの２倍で除して得られるため、流量Ｑを増やすほど、上昇する最大高さｈは大きくなり、隙間ａから上方に水が漏れやすくなる。
【００１４】
注水部１１１と注水カバー１１３との間の隙間ａから漏れる水を少なくするために、隙間ａを小さく設定することが考えられる。
【００１５】
しかしながら、注水部１１１や注水カバー１１３の寸法ばらつきや、給水する水の温度による注水カバー１１３の膨張により、隙間ａが小さくなって注水部１１１と注水カバー１１３とが当接しやすくなる。注水部１１１と注水カバー１１３とが当接すると、注水カバー１１３が注水部１１１を押し戻して、衣類投入口１０４と注水部１１１との間に隙間が生じて、水が漏れやすくなるため、部品の当接と、隙間の設定だけで水漏れを確実に防止するのが難しいという課題を有していた。
【００１６】
本発明は、上記従来の課題を解決するもので、簡単な構成で水漏れを防止する洗濯機を提供することを目的としている。
【課題を解決するための手段】
【００１７】
前記従来の課題を解決するために、本発明の洗濯機は、洗濯物を収容する洗濯槽と、前記洗濯槽に注水する給水部とを備え、前記給水部は、給水弁と、前記給水弁からの水を受ける貯水部と、前記貯水部の水を前記洗濯槽に供給する注水口と、前記貯水部の底面に向けて前記貯水部の底面との間に水の流れを許容する流路を有して形成され、前記給水弁からの流水方向に対向して形成される仕切り壁とを備えるものである。
【発明の効果】
【００１８】
本発明は、上記従来の課題を解決するもので、簡単な構成で、給水流量を大きくしても、給水部からの水漏れを防止できる。
【図面の簡単な説明】
【００１９】
【図１】本発明の実施の形態１における洗濯機の縦断面図
【図２】同洗濯機の一部を透視した給水部回りの斜視図
【図３】同洗濯機の給水部回りの断面図
【図４】本発明の実施の形態２における洗濯機の給水部回りの断面図
【図５】本発明の実施の形態３における洗濯機の給水部回りの断面図
【図６】本発明の実施の形態４における洗濯機の給水部回りの断面図
【図７】本発明の実施の形態５における洗濯機の一部を透視した給水部回りの斜視図
【図８】同洗濯機の給水部回りの一部を判断した斜視図
【図９】本発明の実施の形態６における洗濯機の一部を透視した給水部回りの斜視図
【図１０】同洗濯機の給水部回りの一部を判断した斜視図
【図１１】従来の洗濯機の斜視図
【図１２】従来の洗濯機の給水部の要部断面図
【発明を実施するための形態】
【００２０】
第１の発明は、洗濯物を収容する洗濯槽と、前記洗濯槽に注水する給水部とを備え、前記給水部は、給水弁と、前記給水弁からの水を受ける貯水部と、前記貯水部の水を前記洗濯槽に供給する注水口と、前記貯水部の底面に向けて前記貯水部の底面との間に水の流れを許容する流路を有して形成され、前記給水弁からの流水方向に対向して形成される仕切り壁とを備えるものである。
【００２１】
これにより、部品寸法のばらつきや、温度変化による寸法変化が生じても、水管開口部から吐出する水は、仕切り壁の下辺より流出する際に、貯水部に溜まった水により、均一に水圧を受け、貯水部の水面を押し上げないので、給水部からの水漏れを防止できる。
【００２２】
第２の発明は、特に、第１の発明の給水部は、前記給水弁に連結される水管部と、前記水管部と前記貯水部とを連結する水管開口部とを備え、前記仕切り壁の下辺は、前記水管開口部より下方向に配置したものである。
【００２３】
これにより、水管開口部から吐出した水は、仕切り壁に衝突後、吐出方向の速度をさらに失うので、給水部からの水漏れを防止できる。
【００２４】
第３の発明は、特に、第２の発明の注水口の一部は、前記仕切り壁と前記水管開口部との間に配置したものである。
【００２５】
これにより、第１の水管部に給水弁がある洗濯機、給水弁がない洗濯機で、給水部品を共用しても、第２の水管部から貯水部に給水されるとき、第１の仕切り壁の第１の水管部側の水位を低くすることができるので、第１の水管部に水が逆流せず、水漏れを防止できる。
【００２６】
第４の発明は、特に、第１から３の発明の仕切り壁は、天面を有する筒状の壁構造に形成したものである。
【００２７】
これにより、仕切り壁は、給水弁から供給される水が仕切り壁に衝突した後、水は筒状の仕切り壁と、仕切り壁の天面とで仕切られた空間の内側に閉じ込められ、外側に漏れ出さないので、給水部からの水漏れを防止できる。
【００２８】
以下、本発明の実施の形態について、図面を参照しながら説明する。なお、この実施の形態によって本発明が限定されるものではない。
【００２９】
（実施の形態１）
図１は、本発明の第１の実施の形態における洗濯機の縦断面図、図２は、同洗濯機の一部を透視した給水部回りの斜視図、図３は、同洗濯機の給水部回りの断面図である。
【００３０】
図１において、洗濯機本体２内部には、水槽８１がサスペンション機構８０により垂下防振支持されている。水槽８１内には、洗濯槽１を回転自在に収納されており、洗濯槽１の周壁には、多数の小孔が設けられている。また、洗濯槽１の底部には、衣類攪拌用のパルセータ８２が回転自在に配されており、パルセータ８２および洗濯槽１は、水槽８１の外底部に固定したモータ８３により回転駆動される。
【００３１】
洗濯槽１の上部には、内部にバランサー液を封入した環状の流体バランサー８４が取り付けられており、流体バランサー８４により脱水時の振動を低減している。
【００３２】
洗濯機本体２の上部には、上部筐体３を装着している。上部筐体３には、略中央部に衣
類投入口４を形成しており、蓋体５が衣類投入口４を開閉自在に覆うように配設されている。
【００３３】
上部筐体３の後部には、給水部２０が配設され、給水部２０には、冷水を供給する冷水給水弁６と、温水を供給する温水給水弁７が配設されている。冷水給水弁６と温水給水弁７は、二連給水弁方式であり、冷水給水弁６、あるいは、温水給水弁７から供給する水、あるいは、温水は、第１の水管部８、第２の水管部９、第１の水管開口部１４Ａ、第２の水管開口部１４Ｂを経由し、第１の仕切り壁１５ａ下部の隙間から貯水部１０を介して注水口１１から洗濯槽１内に供給される。
【００３４】
なお、給水部２０の構成の詳細は、後述する。
【００３５】
水槽８１内の洗濯水は、水槽８１の外底部に設けた排水弁８５により排水、止水が制御されており、排水時に排水弁８５が開放されると、洗濯水は、排水弁８５に接続された排水ホース８６から機外へ排水される。
【００３６】
運転コース等のモードや各種機能の選択は、上部筐体３の前面上部に設けられた操作表示部８７により使用者が入力設定手段（図示せず）へ入力して行い、操作表示部８７の内方に配設された制御装置８８が、入力情報を基に表示手段（図示せず）で表示して使用者に知らせる。
【００３７】
制御装置８８は、モータ８３、排水弁８５、冷水給水弁６、温水給水弁７などを制御して、洗い、すすぎ、脱水の一連の行程を逐次制御するもので、マイクロコンピュータからなる制御手段(図示せず)を備えている。
【００３８】
図２及び図３を用いて、以下に、給水部２０の構成を詳細に説明する。
【００３９】
冷水を供給する冷水給水弁６と、温水を供給する温水給水弁７は、それぞれ、略水平方向に接続された第２の水管部９と第１の水管部８を通して貯水部１０に冷水、温水を供給する。
【００４０】
なお、以下に説明する、冷水給水弁６から第２の水管部９、第２の水管開口部１４Ｂ、第１の仕切り壁１５ｂ、第１の仕切り壁１５ａ、貯水部１０、注水口１１へ至る流路の構成は、温水給水弁７から第１の水管部８、第１の水管開口部１４Ａ、第１の仕切り壁１５ｂ、第１の仕切り壁１５ａ、貯水部１０、注水口１１へ至る流路の構成と同様であり、温水給水弁７側の説明は省略する。
【００４１】
貯水部１０は、貯水部底部１２と、貯水部底部１２の周囲を囲み上方に伸延する貯水部周囲壁１３ａ、１３ｂ、１３ｃ、１３ｄで形成された貯水部周囲壁１３とからなる有底矩形型筒状に構成されている。貯水部底部１２には、洗濯槽１の上部開口の範囲内で開口する注水口１１を形成しており、注水口１１から洗濯槽１に給水する。後方に位置する貯水部周囲壁１３ｃは、第１の水管部８及び第２の水管部９に近接しており、貯水部周囲壁１３ｃの上辺は、他の貯水部周囲壁１３ａ、１３ｂ、１３ｄより上方に伸延している。
【００４２】
第２の水管部９内の流路は、貯水部周囲壁１３ｃまで略水平方向に伸延した後、下方向に向かい、次いで、略水平方向に向けて伸延し、貯水部周囲壁１３ｃを貫通して貯水部１０と連通している。第２の水管部９内の流路と貯水部１０との接続部が貯水部周囲壁１３ｃに形成した第２の水管開口部１４Ｂである。
【００４３】
上部筐体３には、貯水部１０に対応して第１の仕切り壁底面１６を形成し、第１の仕切
り壁底部１６から貯水部底部１２に向けて第１の仕切り壁１５を垂下形成している。
【００４４】
なお、本実施の形態では、第１の仕切り壁底面１６は、上部筐体３と一体に形成しているが、上部筐体３とは別体に形成し、上部筐体３に接着等により一体化してもよい。
【００４５】
第１の仕切り壁１５は、第１の仕切り壁底部１６を上部に有する有底型の略半円筒形状であり、半円状部の第１の仕切り壁１５ａと、直線状部の第１の仕切り壁１５ｂとで構成されている。半円状部の第１の仕切り壁１５ａは、貯水部周囲壁１３ｃから最も離間した部分が第２の水管開口部１４Ｂからの流水方向Ｄに対向するよう構成している。
【００４６】
半円状部の第１の仕切り壁１５ａは、下辺部が貯水部底部１２との間に所定の隙間を設けて形成している。直線状部の第１の仕切り壁１５ｂは、第２の水管開口部１４Ｂ上方に位置し、下辺部は、第２の水管部９の外壁形状に近接するように円弧状に切り欠いて形成している。すなわち、直線状部の第１の仕切り壁１５ｂの切り欠いた部分は、第１の仕切り壁１５ａに比べて壁の長さは短いため、下辺部の切り欠いた部分は、半円状部の第１の仕切り壁１５ａの下辺より高い位置になっている。
【００４７】
注水口１１は、貯水部底部１２の長手方向ほぼ全域にわたり開口しており、冷水給水弁６からの冷水と温水給水弁７からの温水が、貯水部１０を介して洗濯槽１に向かって給水されるようになっている。
【００４８】
また、貯水部底部１２は、貯水部１０の長手方向に向かって、中央部が低く、両端部に行くに従って高くなるように半径ｒｃの曲面形状に形成されており、貯水部１０内に残水しないように構成している。
【００４９】
貯水部底部１２には、第２の水管開口部１４Ｂに対向する位置に上方に向かって第２の仕切り壁１７が立設されており、第２の仕切り壁１７上端部は、第１の仕切り壁底部１６に近接するよう形成し、第２の仕切り壁１７上端部と第１の仕切り壁底部１６との間を通過する水の流量を少なくするよう構成している。
【００５０】
第１の仕切り壁底部１６には、半円状部の第１の仕切り壁１５ａと略同心円状に、第２の水管開口部１４Ｂ側に下方に向けて傾斜した面を含む付勢手段２１を形成している。付勢手段２１は、第２の水管開口部１４Ｂからの水が第１の仕切り壁１５ａにぶつかって上昇し、上昇してきた水の速度を落として下方へ戻すように構成している。
【００５１】
第２の水管開口部１４Ｂ側は、貯水部周囲壁１３ｃの上辺、第２の仕切り壁１７ｂの上辺、付勢手段２１の傾斜面下部、第１の仕切り壁１５ｂ下辺の切り欠き部、水管開口部１４の順に高さが低くなるように形成している。
【００５２】
第２の水管開口部１４Ｂは、流水方向Ｄに対向する側が第１の仕切り壁底部１６、第１の仕切り壁１５ａの下辺、第２の水管開口部１４Ｂ最下面の順に高さが低くなるように形成している。
【００５３】
給水部２０は、冷水給水弁６、温水給水弁７、第１の水管部８、第２の水管部９、貯水部１０、注水口１１、貯水部底部１２、貯水部周囲壁１３、第１の水管開口部１４Ａ、第２の水管開口部１４Ｂ、第１の仕切り壁１５、第２の仕切り壁１７、上部筐体３の第１の仕切り壁底部１６、付勢手段２１などにより構成している。
【００５４】
冷水給水弁６は、所定の水道圧力の範囲で、最小流量Ｑｍｉｎから、最大流量Ｑｍａｘの間で給水するように設定している。
【００５５】
一般的に、有底筒状の容器に流量Ｑが流入し、底面に開けた面積ｓから速度ｖで流出する場合、水が上昇する高さｈは、速度ｖを２乗したものを、重力加速度ｇの２倍で除して得られるので、所定の流量Ｑを流すためには、設定した高さｈに対して面積ｓを設定すればよい。
【００５６】
本実施の形態では、貯水部周囲壁１３ａの高さｈ１は、最大流量Ｑｍａｘで、注水口１１の開口面積ｓ１から流すために必要な高さより十分高くなるように設定している。
【００５７】
また、本実施の形態では、第１の水管部８、第２の水管部９の高さは、最大流量Ｑｍａｘで、注水口１１の開口面積ｓ１から流すのに必要な高さより高く設定している。
【００５８】
以上のように構成した洗濯機について、以下に、その動作、作用を説明する。
【００５９】
なお、上述のように、温水給水弁７から貯水部１０、注水口１１における構成は、冷水給水弁６から貯水部１０、注水口１１における構成と同様であり、温水給水弁７側の説明は省略する。
【００６０】
冷水給水弁６を駆動し、冷水が第２の水管部９から第２の水管開口部１４Ｂを経由して貯水部１０に向かって供給されると、第１の仕切り壁１５ａを水管開口部１４の流水方向Ｄに対向して形成しているので、第２の水管開口部１４Ｂから吐出する水の一部は、第１の仕切り壁１５ａに衝突する。衝突した水は、上方向に移動することにより、水管開口部１４の流水方向Ｄへの速度成分を失う。
【００６１】
上方向に移動した水は、第１の仕切り壁底部１６に到達したあと、付勢手段２１により速度を落として下方向に付勢されるので、第１の仕切り壁１５内上部での水圧が上昇せず、第２の仕切り壁１７と第１の仕切り壁１５ｂとの間から外側に水が流下しても、貯水部周囲壁１３ｃから溢れて水漏れすることはない。
【００６２】
第２の水管開口部１４Ｂから吐出する水のうち、第１の仕切り壁１５ａに衝突しない分は、貯水部１０に流入する際、第１の仕切り壁１５ａ下辺を通るときに高さｈの水圧を受けて減速したのち貯水部周囲壁１３ａに衝突し、上方向に移動する。流量Ｑと注水口１１の開口面積ｓ１とによって決定する高さｈに比べて、流水方向Ｄへの流速を２乗したものを、重力加速度ｇの２倍で除して得られる速度ヘッド分だけ高い位置まで上昇すると速度を失い、第１の仕切り壁１５ａ近傍で高さｈまで流下するので、貯水部周囲壁１３ａを乗り越えて溢れることはない。
【００６３】
なお、本実施の形態では、給水部２０は二連給水弁方式であり、冷水給水弁６と共に温水給水弁７が配設されているが、商品展開時においては、商品仕様に応じて温水給水弁７を廃止して、冷水給水弁６だけにしても良い。
【００６４】
以上のように、本実施の形態においては、第１の仕切り壁１５ａの下辺を通過する水は、貯水部１０に溜まった水の水位ｈに相当する水圧を受けるため、水管開口部１４の流水方向Ｄへの流速が減速する。これにより、貯水部周囲壁１３ａ近傍の水面を上昇させにくくできるので、部品寸法のばらつきや、温度変化による寸法変化が生じても、給水部２０からの水漏れを防止することができる。
【００６５】
また、本実施の形態では、第１の仕切り壁底部１６の一部は、下方に突出し、付勢手段２１を構成している。
【００６６】
これにより、水管開口部１４から吐出する水の一部が、第１の仕切り壁１５ａに衝突し上方に流れ、第１の仕切り壁底部１６に到達したあと、付勢手段２１により下方向に付勢される。水管開口部１４の上辺での水圧が上がらないので、第１の仕切り壁１５ｂと水管開口部１４上辺との間から外側に流下する水が、給水部２０からあふれて水漏れすることをさらに防止することもできる。
【００６７】
本実施の形態においては、給水部２０は、上部筐体３の一部である第１の仕切り壁底部１６から下方の貯水部底部１２に向けて略半円筒形状の第１の仕切り壁１５を立設して形成し、第１の仕切り壁１５の半円部である第１の仕切り壁１５ａの凹部側を第２の水管開口部および第１の水管開口部からの流水方向に対向させるとともに、第１の仕切り壁底部１６に、下方に向けて傾斜した面を含む付勢手段２１を形成した構成としている。
【００６８】
これにより、流水方向Ｄへの流速は減速し、貯水部周囲壁１３ａ近傍の水面を上昇させにくくできるので、部品寸法のばらつきや、温度変化による寸法変化が生じても、給水部２０からの水漏れを防止することができる。また、第１の仕切り壁１５内上部での水圧が上がらず、第２の仕切り壁１７と第１の仕切り壁１５ｂとの間から外側に水が流下しても、貯水部周囲壁１３ｃから溢れて水漏れすることはない。
【００６９】
（実施の形態２）
図４は、本発明の第２の実施の形態の洗濯機の給水部周りの断面図である。
【００７０】
本第２の実施の形態は、第１の実施の形態の洗濯機から、第１の水管部８に接続していた温水給水弁７を省略している。その他構成は、本発明の第１の実施の形態と同様であるので、同一部位は、同一符号を附して説明を省略する。
【００７１】
給水部２００の注水口２１１は、第１の仕切り壁１５ａの第１の水管開口部１４Ａと対抗する位置が第１の仕切り壁１５ａと第１の水管開口部１４Ａとの間に配設されている。
【００７２】
以上のように構成した洗濯機について、以下に、その動作、作用を説明する。
【００７３】
冷水給水弁６を駆動し、冷水が第２の水管部９から第２の水管開口部１４Ｂを経由して貯水部１０に向かって供給されると、貯水部１０に高さｈに溜まった水は、第１の水管部８側の第１の仕切り壁１５ａの下部を通って第１の水管部８に向かって速度ｖ’で流入しようとする。
【００７４】
この時、水の大半は、第１の仕切り壁１５ａと第１の水管開口部１４Ａとの間に配設された注水口２１１から洗濯槽１に向かって流れ落ちるので、第１の仕切り壁１５の内側に囲まれた範囲の水位ｈ’は、水位ｈに比べて、速度ｖ’の２乗を、重力加速度ｇの２倍で除して得られる速度ヘッド分低くなる。
【００７５】
以上のように、本実施の形態２においては、第１の仕切り壁１５ａ内の水位ｈ’を低くすることにより、第１の水管部８に水が浸入しにくくなり、水の逆流を防止することができる。温水給水弁７がある製品、ない製品で、給水部２００を共通で使用することができ、部品の誤用を防止することができる。
【００７６】
また、第１の水管部８の高さは、最大流量Ｑｍａｘで、注水口１１の開口面積ｓ１から流すのに必要な高さより十分高くなるように設定することにより、冷水給水弁６から最大流量Ｑｍａｘで給水した場合でも、温水給水弁７側の第１の仕切り壁１５ａ内の水位ｈ’は、第１の水管部８の高さまで上昇することはなく、第１の水管部８への水の逆流をさらに防止することができる。
【００７７】
（実施の形態３）
図５は、本発明の第３の実施の形態の洗濯機の給水部周りの断面図である。
【００７８】
本第３の実施の形態は、第１の実施の形態の給水部から貯水部周囲壁と注水口の構成を変更したものである。その他の構成は、第１の実施の形態と同じであるので、第１の実施の形態と同一部位については同一符号を付して、詳細な説明は省略する。
【００７９】
なお、冷水給水弁６側で説明するが、温水給水弁７側の構成、動作、作用も冷水給水弁６側と同様であるので、説明を省略する。
【００８０】
図５において、給水部３００の貯水部周囲壁３１３は、前面部を上部筐体３の衣類投入口４の壁面で構成し、横面部を貯水部周囲壁３１３ｂ、３１３ｄ（図示せず）、後面部を貯水部周囲壁３１３ｃで構成している。つまり、貯水部１０は、底部を貯水部底部１２、周囲部を上部筐体３の衣類投入口４、貯水部周囲壁３１３ｂ、３１３ｃ、３１３ｄで構成している。
【００８１】
貯水部周囲壁３１３ｂ、３１３ｄの前面側は、上部筐体３の衣類投入口４裏面に当接して形成されており、水が漏れないように構成している。
【００８２】
貯水部周囲壁３１３ｂ、３１３ｄの高さｈ１は、最大流量Ｑｍａｘで、注水口３１１の開口面積ｓ１から流すのに必要な高さより十分高くなるように設定されている。
【００８３】
また、第２の水管部９に近接する貯水部周囲壁３１３ｃは、上辺を貯水部周囲壁３１３ｂ、３１３ｄよりさらに上方に伸延している。
【００８４】
注水口３１１は、上部筐体３の衣類投入口４裏面と貯水部底部１２との間の隙間で構成している。
【００８５】
以上のように構成した洗濯機について、以下に、その動作、作用を説明する。
【００８６】
第１の仕切り壁１５ａは、貯水部底部１２に向けて伸延して第２の水管開口部１４Ｂの流水方向Ｄに対向して配置しているので、第１の仕切り壁１５ａの下辺は、貯水部１０に溜まった水に水没しやすい。さらに、第２の水管開口部１４Ｂから吐出する水の一部は、第１の仕切り壁１５ａに衝突し、水管開口部１４の流水方向Ｄへの速度成分を失う。
【００８７】
衝突した水は、上方向に移動して第１の仕切り壁底部１６に到達したあと、付勢手段２１により下方向に付勢される。これにより、第１の仕切り壁１５内上部での水圧が上がらず、第２の仕切り壁１７と第１の仕切り壁１５ｂとの間から外側に水が流下しても、貯水部周囲壁３１３ｃから溢れて水漏れすることはない。
【００８８】
第２の水管開口部１４Ｂから吐出する水のうち、第１の仕切り壁１５ａに衝突しない分は、貯水部１０に流入する際、仕切り壁１５ａ下辺を通る際に、貯水部１０にたまった水の高さｈの水圧を受けて減速した後、上部筐体３の衣類投入口４の裏面に衝突し、上方向に移動する。
【００８９】
流量Ｑと注水口３１１の開口面積ｓ１とによって決定する高さｈに比べて、流水方向Ｄへの流速を２乗したものを、重力加速度ｇの２倍で除して得られる速度ヘッド分だけ高い位置まで上昇すると速度を失い、第１の仕切り壁１５ａ近傍で高さｈまで流下する。
【００９０】
これにより、上部筐体３の衣類投入口４側から水が漏れることはなく、水が貯水部周囲壁３１３ｂ、３１３ｄを乗り越えて溢れることを防止できる。
【００９１】
また、注水口３１１を上部筐体３の衣類投入口４裏面と貯水部底部１２との間の隙間に構成させたことにより、より洗濯槽１の中心部に近い位置に上方より給水することができるので、洗濯機を傾斜面に設置された時に、水槽８１の外方へこぼれて給水されることが防止できる。
【００９２】
本実施の形態３においては、第１の仕切り壁１５ａの下辺を通過する水は、貯水部１０に溜まった水の水位ｈに相当する水圧を受け、第２の水管開口部１４Ｂを吐出したときの流水方向Ｄへの速度成分が減少し、貯水部１０の水位を上昇しにくくなる。これにより、部品寸法のばらつきや、温度変化による寸法変化が生じても、給水部３００からの水漏れを防止することができる。
【００９３】
また、本実施の形態３では、貯水部１０の一部を上部筐体３の衣類投入口４裏面で構成したことにより、第１の仕切り壁１５ａの下辺を通過する水の一部が、上部筐体３の衣類投入口４裏面に到達して上昇しても、上部筐体３の外に漏れ出さないので、給水部３００からの水漏れを防止することもできる。
【００９４】
また、本実施の形態３では、第１の仕切り壁底部１６の一部は、下方に突出したことにより、第２の水管開口部１４Ｂから吐出する水の一部が、第１の仕切り壁１５ａに衝突して上方に流れ、第１の仕切り壁底部１６に到達した後、付勢手段２１により下方向に付勢される。第２の水管開口部１４Ｂの上辺での水圧が上がらないので、第１の仕切り壁１５ｂと第２の水管開口部１４Ｂ上辺との間から外側に流下する水が、給水部３００からあふれて水漏れすることをさらに防止することができる。
【００９５】
（実施の形態４）
図６は、本発明の第４の実施の形態の洗濯機の給水部周りの断面図である。
【００９６】
第４の実施の形態は、第３の実施の形態の給水部から水管開口部１４の底部の高さを高くしたものである。それに伴い変更となる貯水部周囲壁、第１の仕切り壁などの構成以外は、第３の実施の形態と同じであるので、第３の実施の形態と同一部位については、同一符号を付して詳細な説明は省略する。
【００９７】
図６において、給水部４００の第２の水管開口部４１４Ｂの底部の高さは、冷水給水弁６の出口部と略水平方向に接続された第２の水管部９の底部の高さと略同一面となるように形成され、第１の仕切り壁４１５ａに近接する位置で、貯水部底部１２面まで下がっている。第１の仕切り壁４１５ａは、下辺が第２の水管開口部４１４Ｂの底部より下に位置するように構成している。
【００９８】
第２の水管開口部４１４Ｂの底部が第２の水管部９の底部と略同じ高さになったことに伴い、第１の仕切り壁４１５ａ、第２の仕切り壁４１７、貯水部周囲壁４１３の後部の貯水部周囲壁４１３ｃも短くなっている。
【００９９】
つまり、貯水部１０は、底部を貯水部底部１２、前面部を上部筐体３の衣類投入口４裏面、横面部を貯水部周囲壁４１３ｂ、４１３ｄ（図示せず）、後面部を短くなった貯水部周囲壁４１３ｃで構成されている。
【０１００】
そして、横面部の貯水部周囲壁４１３ｂ、４１３ｄの前辺側は、上部筐体３の衣類投入口４裏面に当接して形成されており、水が漏れないようになっている。
【０１０１】
また、貯水部周囲壁４１３ｂ、４１３ｄの高さｈ１は、最大流量Ｑｍａｘで、注水口３１１の開口面積ｓ１から流すのに必要な高さより十分高くなるように設定している。
【０１０２】
以上のように構成した洗濯機について、以下に、その動作、作用を説明する。
【０１０３】
貯水部底部１２に向けて伸延した第１の仕切り壁４１５ａは、第２の水管開口部４１４Ｂの流水方向Ｄに対向して配置し、第１の仕切り壁４１５ａの下辺が第２の水管開口部４１４Ｂより下に配置している。これにより、第１の仕切り壁４１５ａの下辺は、貯水部１０に溜まった水に水没しやすい。
【０１０４】
第２の水管開口部４１４Ｂから吐出する水の一部は、第１の仕切り壁４１５に衝突し、上方向に移動して第１の仕切り壁底部１６に到達したあと、付勢手段２１により下方向に付勢されるので、第１の仕切り壁４１５ａ内上部での水圧が上がらず、第２の仕切り壁４１７と第１の仕切り壁４１５ｂとの間から外側に水が流下しても、貯水部周囲壁４１３ｃから溢れて水漏れすることはない。
【０１０５】
第２の水管開口部４１４Ｂから吐出する水のうち、第１の仕切り壁４１５に衝突して下方向に落ちた水は、貯水部１０に流入する際、貯水部１０に溜まった水の水位ｈに相当する水圧を受け、第２の水管開口部４１４Ｂを吐出したときの流水方向Ｄへの速度成分をさらに失い、貯水部１０の水位を上昇しにくくできる。
【０１０６】
これにより、部品寸法のばらつきや、温度変化による寸法変化が生じても、水が貯水部周囲壁４１３ｂ、４１３ｄ（図示せず）を乗り越えて溢れたり、水漏れしたりすることを防止できる。
【０１０７】
以上のように、本実施の形態４においては、給水部４００は、第１の仕切り壁４１５の下辺を、温水給水弁７側の第１の水管開口部４１４Ａ、および第２の水管開口部４１４Ｂの底部より下方に位置させている。これにより、部品寸法のばらつきや、温度変化による寸法変化が生じても、水が貯水部周囲壁４１３ｂ、４１３ｄ（図示せず）を乗り越えて溢れたり、水漏れすることを防止できる。
【０１０８】
（実施の形態５）
図７は、本発明の実施の形態５における洗濯機の一部を透視した給水部回りの斜視図、図８は、同洗濯機の給水部回りの一部を破断した斜視図である。
【０１０９】
本実施の形態５は、第１の実施の形態の給水部から第２の仕切り壁部の構成を変更し、水抜き孔を追加したものであり、その他の構成は、第１の実施の形態と同じであり、第１の実施の形態と同一部位については、同一符号を付して詳細な説明を省略する。
【０１１０】
なお、以下に説明する冷水給水弁６側の構成の説明は、温水給水弁７側における構成と同様であるので、温水給水弁７側の説明は省略する。
【０１１１】
図７、図８において、給水部５００の第２の水管部９は、貯水部周囲壁１３ｃを貫通して貯水部１０内に連通しているが、貯水部１０側には、第２の水管部９よりも管内流路を狭くした第２の水管開口部５１４Ｂを形成している。
【０１１２】
本実施の形態５では、第２の水管開口部５１４Ｂの最下面は、第２の水管部９の最下面と略同一面に形成している。第２の水管開口部５１４Ｂの最上面は、第２の水管部９の中心の高さと略同じ高さに形成している。第２の水管開口部５１４Ｂの上部は、半径ｒｂの
ドーム形状に形成している。半径ｒｂは、第２の水管部９の半径ｒａより小さく設定しており、本実施の形態では、半径ｒｂは、第２の水管部９の半径ｒａの略１／２に設定している。水管開口部１４の下部は、第２の水管部９の半径ｒａと略同一に設定している。
【０１１３】
貯水部１０内において、上部筐体３の一部である第１の仕切り壁底部５１６から下方の貯水部底部１２に向けて第１の仕切り壁５１５が垂下形成されている。
【０１１４】
第１の仕切り壁５１５は、有底型の略半円筒形状であり、半円部の第１の仕切り壁５１５ａと、垂直部の第１の仕切り壁５１５ｂとで構成されており、半円部の凹部側が流水方向Ｄに対向している。
【０１１５】
第１の仕切り壁５１５ａは、下辺が第２の水管開口部５１４Ｂの最下面より下方に位置するように形成され、貯水部底部１２との間に隙間ｄを設けている。
【０１１６】
第１の仕切り壁５１５ｂは、第２の水管開口部５１４Ｂ側の上方に位置し、第１の仕切り壁５１５ｂの下辺は、第２の水管開口部５１４Ｂの外壁形状に近接している。第１の仕切り壁５１５ｂは、第１の仕切り壁５１５ａに比べて壁の長さは短く形成されており、第１の仕切り壁５１５ｂの下辺は、第１の仕切り壁５１５ａの下辺より高い位置になっている。
【０１１７】
注水口１１は、貯水部底部１２の長手方向ほぼ全域にわたり開口しており、冷水給水弁６からの冷水と温水給水弁７からの温水が貯水部１０を介して洗濯槽１に向かって給水するように構成している。
【０１１８】
注水口１１は、第１の仕切り壁５１５ａの第２の水管開口部５１４Ｂと対向する位置と後述する第２の仕切り壁５１７ａとの間に位置するよう配設されている。
【０１１９】
貯水部底部１２は、長手方向に半径ｒｃの曲面形状に形成して、中央部が低く、両端部に行くに従って高くなるよう構成し、貯水部１０内に残水しないようにしている。
【０１２０】
有底略半円筒形状の第１の仕切り壁５１５内には、貯水部底部１２を上方に向かって隆起させて第２の仕切り壁底部５１８を形成しており、第２の仕切り壁底部５１８から第１の仕切り壁５１５ａと第２の水管開口部５１４Ｂとの間に、上方に向けて第２の仕切り壁５１７を形成している。
【０１２１】
第２の仕切り壁５１７は、第２の水管開口部５１４Ｂからの水流方向に対向する部分を第２の仕切り壁５１７ａとして、第２の仕切り壁５１７ａは、上辺と第１の仕切り壁底部１６との間に隙間ｃを形成し、隙間ｃを水が流れるように構成している。第２の仕切り壁５１７は、第１の仕切り壁５１５ｂに近接する部分を第２の仕切り壁５１７ｂとし、上辺を第１の仕切り壁底部１６に近接させており、第２の仕切り壁５１７ｂを通過する水の流量を少なくしている。
【０１２２】
第２の水管開口部５１４Ｂ側は、貯水部周囲壁１３ｃの上辺、第２の仕切り壁５１７ｂの上辺、第１の仕切り壁５１５ｂの下辺、第２の水管開口部５１４Ｂ最上面の順に高さが低くなるように形成している。
【０１２３】
第２の水管開口部５１４Ｂの流水方向Ｄに対向する側は、第１の仕切り壁底部５１６、第２の仕切り壁５１７ａの上辺、第２の水管開口部５１４Ｂ最下面、第１の仕切り壁５１５ａの下辺の順に高さが低くなるように形成している。
【０１２４】
第２の仕切り壁５１７の底面側に形成された第２の仕切り壁底部５１８は、貯水部底部１２から隆起して形成し、貯水部底部１２より高く形成している。第２の仕切り壁底部５１８には、洗濯槽１上部開口の範囲に開口した水抜き孔５１９を構成している。水抜き孔５１９により、給水が終了した後にスムーズに水が抜くことができ、水が残って脱水運転による振動でこぼれて給水部５００から洗濯槽１内に流下し、脱水後の衣類を濡らすことはない。
【０１２５】
第１の仕切り壁５１５ａと、第２の仕切り壁５１７ａとは、それぞれ半径ｒｄ、半径ｒｅの曲面で形成している。本実施の形態では、第１の仕切り壁５１５ａと、第２の仕切り壁５１７ａは、同心で、第１の仕切り壁５１５ａの半径ｒｄに比べ第２の仕切り壁５１７ａの半径ｒｅを小さく設定している。これによって、第１の仕切り壁５１５ａと、第２の仕切り壁５１７ａとの間の隙間が、半径方向に均一になるよう構成している。
【０１２６】
貯水部底部１２と第１の仕切り壁５１５ａとの間の隙間ｄ、第１の仕切り壁底部５１６と第２の仕切り壁５１７ａとの間の隙間ｃとは、第１の仕切り壁５１５ａの半径ｒｄから第２の仕切り壁５１７ａの半径ｒｅを引いた寸法とほぼ同一になるように形成しており、隙間ｃ、第１の仕切り壁５１５ａと第２の仕切り壁５１７ａとの隙間、及び隙間ｄの間を流れる流路面積が急激に変わらないように構成している。
【０１２７】
給水部５００は、上述の冷水給水弁６、温水給水弁７、第１の水管部８、第２の水管部９、貯水部１０、注水口１１、貯水部底部１２、貯水部周囲壁１３、第２の水管開口部５１４Ｂ、第１の水管開口部５１４Ａ、上部筐体３の第１の仕切り壁底部５１６、第１の仕切り壁５１５、第２の仕切り壁５１７、第２の仕切り壁底部５１８、水抜き孔５１９などにより構成している。
【０１２８】
冷水給水弁６は、所定の水道圧力の範囲で、最小流量Ｑｍｉｎから最大流量Ｑｍａｘの範囲で間で給水するように設定している。
【０１２９】
一般に、有底筒状の容器に流量Ｑが流入し、底面に開けた面積ｓから速度ｖで流出する場合、水が上昇する高さｈは、速度ｖを２乗したものを、重力加速度ｇの２倍で除して得られるので、所定の流量Ｑを流すためには、設定した高さｈに対して面積ｓとを設定すればよい。
【０１３０】
本実施の形態では、貯水部周囲壁１３ａの高さｈ１は、最大流量Ｑｍａｘで、注水口１１の開口面積ｓ１から流すのに必要な高さより十分高くなるように設定している。第１の仕切り壁５１５ａの下辺の隙間ｄは、最大流量Ｑｍａｘで、注水口１１の開口面積ｓ１から流すのに必要な高さより十分低くなるように設定している。水抜き孔１９の開口面積ｓ２は、最小流量Ｑｍｉｍでも、確実に貯水部１０に給水させるため、第２の仕切り壁５１７ａの高さｈ２を超える水位になるよう設定している。これにより、洗濯機に最大流量Ｑｍａｘを給水する場合でも、貯水部周囲壁１３ａから外部に水漏れしないので、給水部５００からの水漏れが防止できる。
【０１３１】
以上のように構成した洗濯機について、以下に、その動作、作用を説明する。
【０１３２】
なお、上述のように、温水給水弁７から貯水部１０、注水口１１における構成は、冷水給水弁６から貯水部１０、注水口１１における構成と同様であり、温水給水弁７側の説明は省略する。
【０１３３】
第１の仕切り壁５１５ａと第２の水管開口部５１４Ｂとの間に、第２の仕切り壁５１７を第２の水管開口部５１４Ｂの流水方向Ｄに対向して立設しているので、第２の水管開口
部５１４Ｂから吐出する水は、第２の仕切り壁５１７ａに衝突する。衝突した水は、第２の水管開口部５１４Ｂの流水方向Ｄへの速度を失う。さらに、第２の仕切り壁５１７ａを通過した水は、第１の仕切り壁５１５ａと第２の仕切り壁５１７の間を下方向に進むので、速度成分は下方向のみとなる。
【０１３４】
以上のように、本実施の形態５においては、第１の仕切り壁５１５ａの手前に、第２の仕切り壁５１７を水管開口部１４の流水方向Ｄに対向して形成している。これにより、第２の水管開口部５１４Ｂから吐出する水は、第２の仕切り壁５１７に衝突して、水管開口部１４の流水方向Ｄへの速度を失うとともに、貯水部底部１２とは反対の上方への速度成分を持つ。その後、第１の仕切り壁５１５ａと第２の仕切り壁５１７の間を流れる水は、下方向の速度成分のみとなる。貯水部１０の水位を上げにくくなるので、給水部５００からの水漏れを防止することができる。
【０１３５】
第１の仕切り壁５１５ａの下辺を第２の水管開口部５１４Ｂの下まで伸延しなくても、第１の仕切り壁５１５ａと第２の仕切り壁５１７の間を流れる水は、下方向の速度成分のみとなる。これにより、水漏れを防止できるので、給水部５００の高さ方向の寸法を小さくし、製品をコンパクトに設計することができる。
【０１３６】
第１の仕切り壁底部５１６と第２の仕切り壁５１７ａとの間の隙間ｃ、第１の仕切り壁５１５ａと第２の仕切り壁５１７ａとの隙間、貯水部底部１２と第１の仕切り壁５１５ａとの間の隙間ｄは、流路面積が急激に変わらないように略同一に形成している。また、第１の仕切り壁５１５ａと、第２の仕切り壁５１７ａとは、同心状に形成しており、流路の損失を低減できるので、筒状の第１の仕切り壁５１５内側の圧力が上昇することはない。
【０１３７】
また、第１の仕切り壁５１５ａは、 第２の水管開口部５１４Ｂの流水方向Ｄに対向して配置しているので、第１の仕切り壁５１５ａの下辺は、貯水部１０に溜まった水に水没しやすい。さらに、第２の水管開口部５１４Ｂから吐出する水が、第１の仕切り壁５１５ａに衝突することにより、第２の水管開口部５１４Ｂの流水方向Ｄへの速度成分がさらに失われる。
【０１３８】
以上のように、本実施の形態５においては、第１の仕切り壁５１５ａの下辺を通過する水は、貯水部１０に溜まった水の水位ｈに相当する水圧を受けて、第２の水管開口部５１４Ｂの流水方向Ｄへの速度成分を失い、注水口１１から洗濯槽１に流下する流れだけとなる。これにより、貯水部１０の水位を上昇しにくくできるので、部品寸法のばらつきや、温度変化による寸法変化が生じた場合でも、給水部５００からの水漏れを防止することができる。
【０１３９】
また、第１の仕切り壁５１５ａは、第１の仕切り壁底部５１６を上部に有する構成にしているので、第１の仕切り壁底部５１６に達した水は、周囲の第１の仕切り壁５１５ａを流れるときには、速度成分は下方向のみとなる。
【０１４０】
以上のように、本実施の形態５においては、第１の仕切り壁５１５ａは、第１の仕切り壁底部５１６を上部に有するので、水は第１の仕切り壁５１５ａの内側に仕切られた空間に閉じ込められ、外側に漏れ出さない。第１の仕切り壁底部５１６に達した水が周囲の第１の仕切り壁５１５ａを流れるときには、速度成分は下方向のみとなり、貯水部１０の水位を上げにくいので、給水部５００からの水漏れを防止することができる。
【０１４１】
また、第２の仕切り壁５１７は、第２の仕切り壁底部５１８から立設した有底筒型の壁構造を構成し、第２の仕切り壁底部５１８には、洗濯槽１上部開口の範囲に開口した水抜き孔５１９を形成して、第２の仕切り壁５１７に囲まれた水を排水するようにしている。
【０１４２】
以上のように、本実施の形態５においては、筒状の第２の仕切り壁５１７に囲まれた水を排水するようにしている。これにより、第２の仕切り壁５１７に囲まれる範囲の水位を下げることができ、第２の仕切り壁５１７内側に溜まった水が脱水運転による振動でこぼれて注水部から流下し、脱水後の衣類を濡らすことを防止できる。
【０１４３】
さらに、本実施の形態５では、水抜き孔５１９の開口面積ｓ２は、最小流量Ｑｍｉｎでも、第２の仕切り壁５１７ａの高さｈ２を超える水位になるように選択しているので、確実に貯水部１０に給水させることができる。最小流量Ｑｍｉｎで給水する場合でも、第２の仕切り壁５１７ａを超えて貯水部１０に給水でき、注水口１１から洗濯槽１内の所定の位置に給水できるので、洗剤溶解性能や、衣類の濡れ具合などに給水位置の違いによるばらつきがなくなり、所望の洗浄性能を得ることもできる。
【０１４４】
本実施の形態５では、貯水部周囲壁１３ｃの高さｈ１は、最大流量Ｑｍａｘで、注水口１１の開口面積ｓ１から流すのに必要な高さより十分高くなるように設定している。これにより、最大流量Ｑｍａｘを給水する場合でも、貯水部周囲壁１３ａから外部に水漏れしないので、給水部５００からの水漏れを防止することもできる。
【０１４５】
また、本実施の形態５では、第１の仕切り壁５１５ａの下辺の隙間ｄは、最大流量Ｑｍａｘで、注水口１１の開口面積ｓ１から流すのに必要な水位より十分低くなるように設定している。これにより、第１の仕切り壁５１５ａの下辺は、貯水部１０に溜まった水にさらに容易に水没することができる。洗濯機に供給する水の流量が大きく、第２の水管開口部５１４Ｂからの吐出速度が高く水漏れしやすい状況でも、第１の仕切り壁５１５ａの下辺を通過する水は、貯水部１０に溜まった水の水位ｈに相当する水圧を受ける。水圧を受けた水は、第２の水管開口部５１４Ｂの流水方向Ｄへの速度成分を失うことにより、貯水部１０の水位がさらに上昇しにくくなるので、給水部５００からの水漏れを防止することができる。
【０１４６】
さらに、本実施の形態５では、貯水部底部１２と、第１の仕切り壁５１５ａとの間の隙間ｄ、第１の仕切り壁底部５１６と第２の仕切り壁５１７ａとの間の隙間ｃとは、半径ｒｄから半径ｒｅを引いた寸法とほぼ同一になるように設定している。これらの隙間の流路面積が急激に変わらないようにしたことにより、流路の損失を低減できるので、筒状の第１の仕切り壁５１５ａ内側の圧力を上昇させなくなり、第１の仕切り壁５１５ａ周囲からの水漏れをさらに防止することができる。
【０１４７】
また、本実施の形態５では、第１の仕切り壁５１５ａと第２の仕切り壁５１７とは、同心の半径ｒｄ、半径ｒｅの曲面で構成している。これによって、第１の仕切り壁５１５ａと、第２の仕切り壁５１７ａとの間の隙間が、半径方向に均一になる。第１の仕切り壁５１５ａと、第２の仕切り壁５１７との間の流路を均一にできるので、水圧、流速の偏りがなくなり、貯水部１０に溜まった水の水位の偏りを防止でき、給水部５００からの水漏れを防止することができる。
【０１４８】
本実施の形態５では、貯水部底部１２は、長手方向に半径ｒｃの曲面に形成し、中央部が低く、端部に行くにしたがって、高く構成している。これにより、本体２が傾いた場合でも、注水口１１から流下する水は、貯水部底部１２の半径ｒｃの最下部にまとまる。本体２の傾きの影響を受けずに洗濯槽１内の所望する位置に注水できるので、洗浄性能などのばらつきを防止することができる。冷水を給水して洗濯する場合でも、温水と冷水とを交互に給水して洗濯する場合でも、注水口１１から流下する水は、貯水部底部１２の半径ｒｃの最下部にまとまる。洗濯槽１内の同じ位置に給水することができるので、洗剤溶解性能や、衣類の濡れ具合などに給水位置の違いによるばらつきがなく、所望の洗浄性能を
得ることができる。
【０１４９】
また、本実施の形態５では、第１の仕切り壁５１５ａと第１の仕切り壁底部５１６を、上部筐体３に一体に形成したことにより、別部品を取り付ける必要がなくなる。構成を簡素化できるとともに、取り付け寸法ばらつきの影響を受けずに、防水することができる。
【０１５０】
本実施の形態５では、第２の仕切り壁５１７は、第１の仕切り壁５１５ａに近接し、第２の仕切り壁５１７ａの上辺は、第１の仕切り壁底部５１６に近接している。この隙間を通過する水の流量が少なくなるので、第１の仕切り壁５１５ａと第２の仕切り壁５１７との間から流下する水が、給水部５００からあふれて水漏れすることを防止することができる。
【０１５１】
本実施の形態５では、貯水部周囲壁１３ｃは、上辺を他の貯水部周囲壁より上方に伸延している。これにより、第１の仕切り壁５１５ｂの内側を流下する水が、第２の水管開口部５１４Ｂの上部で跳ね返っても、給水部５００からの水漏れを防止することができる。
【０１５２】
（実施の形態６）
図９は、本発明の実施の形態６における洗濯機の一部を透視した給水部回りの斜視図、図１０は、同洗濯機の給水部回りの一部を破断した斜視図である。
【０１５３】
図において、第１の水管部８に接続する温水給水弁７を省略している。
【０１５４】
本実施の形態６は、第２の仕切り壁６１７ａの高さｈ２’を、最大流量Ｑｍａｘで、注水口１１の開口面積ｓ１から流すのに必要な高さより十分高くなるように設定している。その他の構成は、本発明の第５の実施の形態と同様であるので省略する。
【０１５５】
なお、以下に説明する冷水給水弁６側の構成の説明は、温水給水弁７側における構成と同様であるので、温水給水弁７側の説明は省略する。
【０１５６】
以上のように構成した洗濯機について、以下に、その動作、作用を説明する。
【０１５７】
図９および図１０において、冷水給水弁６から第２の水管部９を介して貯水部１０に給水する。貯水部１０に高さｈで水が溜まり、第１の仕切り壁６１５ａの下部を通って第１の水管部８側に速度ｖ’で流入する際、第１の仕切り壁６１５ａの内側に囲まれた範囲の水位ｈ’は、水位ｈに比べて、速度ｖ’の２乗を、重力加速度ｇの２倍で除して得られる速度ヘッド分低くすることができる。
【０１５８】
以上のように、本実施の形態６においては、第１の仕切り壁６１５ａの内側に囲まれた範囲の水位ｈ’を低くすることができる。貯水部底部１２より一段高くした第１の水管開口部６１４Ａに水が浸入しにくくなり、第１の水管部８への水の逆流を防止することができる。温水給水弁７がある製品、ない製品で、給水部６００を共通で使えるので、部品の誤用を防止することができる。
【０１５９】
冷水給水弁６からの給水流量がさらに増え、貯水部１０の水位ｈおよび、第１の仕切り壁６１５ａ内の水位ｈ’が第２の仕切り壁底部６１８より高くなる場合においても、第２の仕切り壁６１７ａにより水の浸入を防止することができる。
【０１６０】
以上のように、本実施の形態においては、第２の仕切り壁６１７ａにより水の浸入を防止するので、第１の水管開口部６１４Ａに水が浸入しにくくなり、第１の水管部８への水の逆流を防止することができる。
【０１６１】
第２の仕切り壁底部６１８に水抜き孔６１９を有しているので、第２の仕切り壁６１７ａを超えて逆流した水を洗濯槽１内に流下することができる。
【０１６２】
本実施の形態６においては、第２の仕切り壁底部６１８に水抜き孔６１９を形成している。第１の仕切り壁６１５ａ内の水位ｈ’が第２の仕切り壁６１７ａを超えるまで高くなっても、水抜き孔６１９から水を流下するので、第１の水管開口部６１４Ａに水が浸入しにくくなり、第１の水管部８への水の逆流を防止することができる。
【０１６３】
本実施の形態６では、第２の仕切り壁６１７ａの高さｈ２’を、最大流量Ｑｍａｘで、注水口１１の開口面積ｓ１から流すのに必要な高さより十分高くなるように設定している。最大流量Ｑｍａｘで給水しても、第２の仕切り壁６１７ａから水管開口部１４側に水が浸入しにくくなり、第１の水管部８への水の逆流を防止することができる。
【０１６４】
本実施の形態６では、第１の仕切り壁６１５ａ、第１の仕切り壁底部６１６を、上部筐体３に一体に構成している。別部品を取り付ける必要がないので、構成を簡素化することができるとともに、取り付け寸法ばらつきの影響を受けずに、第１の水管部８への水の逆流を防止することができる。
【０１６５】
本実施の形態６では、第２の仕切り壁６１７ｂは、背面を第１の仕切り壁６１５ａに近接するとともに、上辺は第１の仕切り壁底部６１６に近接し、この隙間を通過する水の流量を少なくなり、第１の水管部８への水の逆流を防止することができる。
【産業上の利用可能性】
【０１６６】
以上のように、本発明にかかる洗濯機は、給水流量が多くても、簡単な構成で、給水部からの水漏れを防止することが可能となるので、給水部を有する他の洗濯機の用途に適用できる。
【符号の説明】
【０１６７】
１  洗濯槽
２  本体
３  上部筐体
６  冷水給水弁
７  温水給水弁
８  第１の水管部
９  第２の水管部
１０  貯水部
１１  注水口
１２  貯水部底部
１３  貯水部周囲壁
１４Ａ  第１の水管開口部
１４Ｂ  第２の水管開口部
１５  第１の仕切り壁
１５ａ  第１の仕切り壁
１５ｂ  第１の仕切り壁
１６  第１の仕切り壁底部
１７  第２の仕切り壁
１９  水抜き孔
２０  給水部
２１  付勢手段
８１  水槽
８２  パルセータ
８３  モータ
２００  給水部
２１１  注水口
３００  給水部
３１３  貯水部周囲壁
４００  給水部
４１４Ａ  第１の水管開口部
４１４Ｂ  第２の水管開口部
５００  給水部
５１４Ａ  第１の水管開口部
５１４Ｂ  第２の水管開口部
５１５  第１の仕切り壁
５１５ａ  第１の仕切り壁
６００  給水部
６１４Ａ  第１の水管開口部
６１５ａ  第１の仕切り壁
【図１】
2019092613.tif 000003
【図２】
2019092613.tif 000004
【図３】
2019092613.tif 000005
【図４】
2019092613.tif 000006
【図５】
2019092613.tif 000007
【図６】
2019092613.tif 000008
【図７】
2019092613.tif 000009
【図８】
2019092613.tif 000010
【図９】
2019092613.tif 000011
【図１０】
2019092613.tif 000012
【図１１】
2019092613.tif 000013
【図１２】
2019092613.tif 000014